(57)【要約】【課題】剥離紙に貼着された装飾体を連続して効率良く貼り付けることができ、しかも、貼り付け位置も正確に調整することが可能な装飾体接着装置を提供する。【解決手段】装飾体１１の接着面１３に接着剤１４を塗布する。剥離紙１２の片面に配された粘着面１５に、接着面１３と反対の装飾面１６が仮止めされる。この状態で剥離紙１２をロール状に捲回し、装飾リール体１０を設ける。該装飾リール体１０を保持するリール保持部２０を設ける。該リール保持部２０から繰り出される剥離紙１２に仮止めされた装飾体１１を剥離紙１２ごと保持して装飾体１１の接着面１３を表出せしめる取付ベース３０を設ける。装飾体１１が連続配置された間隔ごとに剥離紙１２を繰り出すラチェット機構４０を設ける。使用後の剥離紙１２を排出する送出しベルト６０を設ける。【選択図】図１
0003126077.tif 000002
【実用新案登録請求の範囲】
【請求項１】
テープ状の剥離紙に連続して貼着された略粒状の装飾体を、一個ずつ貼り付ける装飾体接着装置であって、剥離紙に所定間隔で装飾体を連続配置した装飾リール体を形成し、該装飾リール体を保持するリール保持部と、該リール保持部から繰り出される剥離紙に仮止めされた装飾体を剥離紙ごと保持して装飾体の接着面を表出せしめる取付ベースと、装飾体が連続配置された間隔ごとに剥離紙を繰り出すラチェット機構と、該ラチェット機構に連動し、使用後の剥離紙を排出する送出しベルトとを設けたことを特徴とする装飾体接着装置。
【請求項２】
前記装飾リール体は、装飾体の接着面に接着剤が塗布されると共に、剥離紙の片面に配された粘着面に接着面と反対の装飾面が仮止めされ、この状態で剥離紙をロール状に捲回することで、装飾体の接着剤が剥離紙の剥離面に接着される請求項１記載の装飾体接着装置。
【請求項３】
前記取付ベースには、該取付ベースの角度を調整する角度調整ピンを設けた請求項１記載の装飾体接着装置。
【請求項４】
前記ラチェット機構はハンドルの操作で剥離紙を繰り出す機構とし、前記取付ベースは、該ハンドルの先端方向に設けられた取付先端部に配設された請求項１記載の装飾体接着装置。
【請求項５】
前記リール保持部は、前記ラチェット機構と共に着脱自在な保護カバーにて覆われている請求項１記載の装飾体接着装置。
【考案の詳細な説明】
【技術分野】
【０００１】
本考案は、主にガラス材、プラスチック材、金属材等からなる接着剤付の装飾体を連続して接着することができる装飾体接着装置に関するものである。
【背景技術】
【０００２】
ガラス材、プラスチック材、金属材等からなる接着剤付の装飾体を擬似宝石として携帯電話や爪、あるいはイヤリングの代わりに耳に接着することが行われている。この種の装飾体は、一般に、片面に接着剤を付した粒状を成すことが多く、たとえば、数多くの装飾体を一箇所に集中して接着することで、高い装飾効果を図っている。
【０００３】
一方、特許文献１に記載されるように、商品にラベル等を貼着する所謂、ハンドラベラーは多く使用されている。このようなハンドラベラーは、重荷、値段や賞味期限などが記載されたシート状のラベルを連続して張り付ける際に用いられている。
【特許文献１】実公昭６２-３４４９２号公報
【考案の開示】
【考案が解決しようとする課題】
【０００４】
接着剤付の装飾体を使用するには、剥離紙に貼着された装飾体をひとつずつ指で剥がし、所定の場所に貼り付けるといった作業を繰り返すことになる。ところが、装飾体自体が小さな粒状を成しているので、この作業中に、装飾体を落としたり、貼り付け位置がずれたりすることがある。しかも、この種の装飾体は、ひとつのスペースに、多数貼り付けることも多いので、この種の装飾体を効率良く貼り付けることができる装置の提供が望まれていた。
【０００５】
一方、特許文献１に示される如きハンドラベラーは、シート状のラベルを連続して張り付けることは可能でも、剥離紙に貼着された装飾体を連続して貼り付けることは構造上不可能である。
【０００６】
そこで本考案は、上述の課題を解消すべく案出されたもので、剥離紙に貼着された装飾体を連続して効率良く貼り付けることができ、しかも、貼り付け位置も正確に調整することが可能な装飾体接着装置の提供を目的とするものである。
【課題を解決するための手段】
【０００７】
本考案の第１の手段は、テープ状の剥離紙１２に連続して貼着された略粒状の装飾体１１を、一個ずつ貼り付ける装飾体接着装置であって、剥離紙１２に所定間隔で装飾体１１を連続配置した装飾リール体１０を形成し、該装飾リール体１０を保持するリール保持部２０と、該リール保持部２０から繰り出される剥離紙１２に仮止めされた装飾体１１を剥離紙１２ごと保持して装飾体１１の接着面１３を表出せしめる取付ベース３０と、装飾体１１が連続配置された間隔ごとに剥離紙１２を繰り出すラチェット機構４０と、該ラチェット機構４０に連動し、使用後の剥離紙１２を排出する送出しベルト６０とを設けたことにある。
【０００８】
第２の手段の前記装飾リール体１０は、装飾体１１の接着面１３に接着剤１４が塗布されると共に、剥離紙１２の片面に配された粘着面１５に接着面１３と反対の装飾面１６が仮止めされ、この状態で剥離紙１２をロール状に捲回することで、装飾体１１の接着剤１４が剥離紙１２の剥離面１７に接着されている。
【０００９】
第３の手段の  前記取付ベース３０には、該取付ベース３０の角度を調整する角度調整ピン３２を設けている。
【００１０】
第４の手段において、前記ラチェット機構４０はハンドル４１の操作で剥離紙１２を繰り出す機構とし、前記取付ベース３０は、該ハンドル４１の先端方向に設けられた取付先端部３１に配設されている。
【００１１】
第５の手段の前記リール保持部２０は、前記ラチェット機構４０と共に着脱自在な保護カバー５０にて覆われていることを課題解消のための手段とする。
【考案の効果】
【００１２】
本考案の請求項１により、リール保持部２０から繰り出される剥離紙１２に仮止めされた装飾体１１を取付ベース３０で一個ずつ貼り付けることができるので、装飾体１１を効率良く貼り付けることが可能になった。また、装飾体１１が連続配置された間隔ごとに剥離紙１２を繰り出すラチェット機構４０を備えているので、連続して効率良く貼り付けることも可能である。
【００１３】
請求項２に記載装飾リール体１０により、大量の装飾体１１をコンパクトに持ち運ぶことができる。
【００１４】
請求項３の如く、該取付ベース３０内に保持した装飾体１１の接着面１３の角度を調整する角度調整ピン３２を設けたことで、装飾体１１を正確な位置に貼り付けることが可能になるものである。
【００１５】
請求項４に記載の前記ラチェット機構４０はハンドル４１の操作で剥離紙１２を繰り出す機構とし、前記取付ベース３０は、該ハンドル４１の先端方向に設けられた取付先端部３１に配設したことで、剥離紙１２の送り出し操作と装飾体１１の貼り付け操作とを片手で能率良く行うことができる。
【００１６】
請求項５に記載のリール保持部２０及び前記ラチェット機構４０は、着脱自在な保護カバー５０にて覆われているので、安全に使用できるものである。
【００１７】
このように本考案によると、剥離紙に貼着された装飾体を連続して効率良く貼り付けることができ、しかも、貼り付け位置も正確に調整することが可能になるなどといった有益な種々の効果を奏するものである。
【考案を実施するための最良の形態】
【００１８】
本考案の最良の形態は、装飾体１１の接着面１３に接着剤１４を塗布する。剥離紙１２の片面に配された粘着面１５に、接着面１３と反対の装飾面１６が仮止めされる。この状態で剥離紙１２をロール状に捲回し、装飾リール体１０を設ける。該装飾リール体１０を保持するリール保持部２０を設ける。該リール保持部２０から繰り出される剥離紙１２に仮止めされた装飾体１１を剥離紙１２ごと保持して装飾体１１の接着面１３を表出せしめる取付ベース３０を設ける。装飾体１１が連続配置された間隔ごとに剥離紙１２を繰り出すラチェット機構４０と、該ラチェット機構４０に連動し、使用後の剥離紙１２を排出する送出しベルト６０とを設けることで、当初の目的を達成するものである。
【実施例】
【００１９】
本考案の基本構成は、装飾体１１を剥離紙１２で捲回した装飾リール体１０と、この装飾リール体１０から装飾体１１を一個ずつ貼り付ける装飾体接着装置からなる。
【００２０】
装飾リール体１０は、装飾体１１と剥離紙１２とからなる（図２参照）。装飾体１１は、ガラス材、プラスチック材、金属材などで形成される粒状で、例えば、ダイヤモンドを模した宝石形状に形成されている。また、この他、貝殻などの自然素材等も使用することも可能である。この装飾体１１の平面状に形成された接着面１３に、接着剤１４が塗布されている。接着剤１４としては、一般糊のほか、工業糊、ＵＶ糊など、装飾体１１の材質に応じて任意に設定する。一方、接着面１３と反対側の装飾面１６は、剥離紙１２に仮止め固定されている。
【００２１】
剥離紙１２は、一方の面に粘着面１５が塗布され、他方の面を剥離面として形成している。この粘着面１５に、前記装飾体１１の装飾面１６を貼着した状態で、剥離紙１２をロール状に捲回すると、装飾体１１の接着剤１４が剥離紙１２の剥離面１７に接着された装飾リール体１０が形成される。
【００２２】
装飾リール体１０から装飾体１１を一個ずつ貼り付ける本考案接着装置の基本構成は、リール保持部２０、取付ベース３０、ラチェット機構４０、送出しベルト６０から成る（図１参照）。
【００２３】
リール保持部２０は、装飾リール体１０を保持する部材で、装飾リール体１０を回転自在に支持する支柱２１を有するものである。このリール保持部２０は、後述するラチェット機構４０と共に、着脱自在な保護カバー５０にて覆われている。
【００２４】
取付ベース３０は、所定面に接着する装飾体１１を保持する部材で、剥離紙１２に仮止めされた装飾体１１を剥離紙１２ごと保持するものである。この取付ベース３０に保持された装飾体１１は、接着面１３が表出することになる。図示例の取付ベース３０には、更に角度調整ピン３２が装着されており、取付ベース３０で保持した装飾体１１の接着面１３の角度を調整自在に設けている。図示の角度調整ピン３２は、取付ベース３０の側面に突設してあり、この角度調整ピン３２を操作することで、取付ベース３０の角度を調整するものである。
【００２５】
ラチェット機構４０は、装飾リール体１０の剥離紙１２を等間隔で送り出す機構で、特に、装飾体１１が連続配置された間隔ごとに剥離紙１２を繰り出すように設けている。図示のラチェット機構４０は、ハンドル４１の操作で剥離紙１２を繰り出す機構としている。すなわち、ハンドル４１の操作で回転ギヤ４２を回転せしめ、この回転ギヤ４２で剥離紙１２を送り出すものである。そして、前記取付ベース３０を、該ハンドル４１の先端方向に設けられた取付先端部３１に配設している。
【００２６】
送出しベルト６０は、装飾体１１が使用された後の剥離紙１２を排出し、ラチェット機構４０による送り出しをスムーズに行うものである。図示例では、ラチェット機構４０に連動するゴム状の送出しベルト６０を設けている。
【００２７】
本考案の使用方法は、先ずリール保持部２０に装飾リール体１０を装填する。次に、剥離紙１２を引き出し、仮止めされている装飾体１１を取付ベース３０の位置に設置する。この状態で取付ベース３０の装飾体１１を所定の面に押圧すると、装飾体１１の接着面１３が所定面に接着して剥離紙１２から装飾体１１が離れる。続いて、ハンドル４１を操作すると、ラチェット機構４０が作動して、次の装飾体１１が取付ベース３０の位置に自動的に配置される。この後は、所定の位置に装飾体１１を再び押圧して張り付け、ハンドル４１操作で剥離紙１２を送り出すといった操作を繰り返すものである。
【００２８】
装飾体１１を貼り付ける対象物として、例えば、携帯電話やネイルの外、建物、車両、家具、工芸品、電化製品、服飾品、玩具、文具、美容用品、アクセサリーなど、あらゆるものが対象となり、この対象物に応じて装飾体１１の接着剤１４も決定されるものである。
【００２９】
尚、本考案は図示例に限定されるものではなく、リール保持部２０や取付ベース３０、ラチェット機構４０等の設計変更は勿論のこと、装飾リール体１０の形状やサイズなども、本考案の要旨を変更しない範囲において自由に変更することができるものである。
【図面の簡単な説明】
【００３０】
【図１】本考案の内部機構の一実施例を示す平面図である。
【図２】本考案の装飾リール体の一実施例を示す概略側面図である。
【図３】本考案の一実施例を示す平面図である。
【符号の説明】
【００３１】
１０  装飾リール体
１１  装飾体
１２  剥離紙
１３  接着面
１４  接着剤
１５  粘着面  
１６  装飾面
１７  剥離面
２０  リール保持部
２１  支柱
３０  取付ベース
３１  取付先端部
３２  角度調整ピン
４０  ラチェット機構
４１  ハンドル
４２  回転ギヤ
５０  保護カバー
６０  送出しベルト
Ｐ  ティーバック
【図１】
0003126077.tif 000003
【図２】
0003126077.tif 000004
【図３】
0003126077.tif 000005